(57)【要約】【課題】折りたたんだ状態で傘生地を束ねるバンド部材を有する折りたたみ式傘において、傘を開いて使用しているときに、バンド部材が下方側に垂れ下がることを防止する。【解決手段】バンド部材５は、この傘を開いた状態において基端側を傘生地４の下面に接合されており、傘を開いた状態における傘生地４の下面には、バンド部材５の先端側を係止する係止手段７が設けられている。また、係止手段７を、バンド部材５を挿通させたリング状の部材とし、折りたたんだ状態においては、バンド部材５の基端側に接近してこのバンド部材５を抜け出させ、傘を開いた状態においては、バンド部材５の先端側に移動してバンド部材５の先端側を係止するものとすることができる。【選択図】図１
2007117436.tif 000002
【特許請求の範囲】
【請求項１】
折りたたんだ状態で傘生地を束ねるバンド部材を有する折りたたみ式傘において、
前記バンド部材は、この傘を開いた状態において基端側を前記傘生地の下面に接合されており、
傘を開いた状態における前記傘生地の下面には、前記バンド部材の先端側を係止する係止手段が設けられている
ことを特徴とする折りたたみ式傘。
【請求項２】
前記係止手段は、傘を開いた状態における傘生地の下面に取付けられたリング状の部材であって、前記バンド部材を挿通させており、この傘を折りたたんだ状態においては、前記傘生地が折りたたまれることにより前記バンド部材の基端側に接近し、このバンド部材を先端側方向に抜け出させ、傘を開いた状態においては、前記傘生地が広げられることにより前記バンド部材の先端側に移動し、前記バンド部材の先端側を係止する
ことを特徴とする請求項１記載の折りたたみ式傘。
【発明の詳細な説明】
【技術分野】
【０００１】
本発明は、折りたたんだ状態で傘生地を束ねるバンド部材を有する折りたたみ式傘に関する。
【背景技術】
【０００２】
従来、折りたたみ式傘のバンド部材は、傘を折りたたんだ状態で傘生地を束ねるために、この状態で外側に露出するように、傘を開いた状態における傘生地の下面（傘生地の裏面）に基端側を縫い付けられて接合されている。
【０００３】
なお、特許文献１には、このバンド部材が傘生地を貫通しており、傘生地の裏面においても表面においても使用できるようにした折りたたみ式傘が記載されている。
【０００４】
【特許文献１】特開平９−２７６０１７号公報
【発明の開示】
【発明が解決しようとする課題】
【０００５】
ところで、従来の折りたたみ式傘において、傘を開いて使用している状態においては、バンド部材が基端側を傘生地の下面（裏面）に接合されているので、このバンド部材が下方側に垂れ下がることとなる。
【０００６】
そのため、このバンド部材によって見た目が悪くなったり、邪魔になるという問題がある。特にデザイン性を重視した日傘などの折りたたみ式傘においては、使用している状態においてバンド部材が下方側に垂れ下がっているのはデザイン性を損ねることとなる。
【０００７】
なお、特許文献１に記載されているように、バンド部材を傘生地を貫通させて取付けることにより、傘を開いて使用している状態においてバンド部材を傘生地の上面（表面）側に移動させ、下方側に垂れ下がらないようにすることはできる。しかしながら、この折りたたみ式傘においては、バンド部材が傘生地を貫通していることから、傘生地の耐久性に問題が生ずる虞れがあり、また、バンド部材を貫通させている孔から雨滴が漏れる虞れがある。
【０００８】
そこで、本発明は、折りたたんだ状態で傘生地を束ねるバンド部材を有する折りたたみ式傘において、傘を開いて使用しているときに、バンド部材が下方側に垂れ下がることが防止された折りたたみ式傘を提供することを目的とする。
【課題を解決するための手段】
【０００９】
前述の目的を達成するため、本発明に係る折りたたみ式傘は、折りたたんだ状態で傘生地を束ねるバンド部材を有する折りたたみ式傘であって、バンド部材は、この傘を開いた状態において基端側を前記傘生地の下面に接合されており、傘を開いた状態における傘生地の下面には、バンド部材の先端側を係止する係止手段が設けられていることを特徴とするものである。
【００１０】
この折りたたみ式傘においては、傘を開いた状態において、バンド部材の先端側が係止手段により係止されるので、バンド部材が下方に垂れ下がることがない。
【００１１】
また、係止手段は、傘を開いた状態における傘生地の下面に取付けられたリング状の部材とし、バンド部材を挿通させているものとしてもよい。この場合には、係止手段は、この傘を折りたたんだ状態においては、傘生地が折りたたまれることによりバンド部材の基端側に接近し、このバンド部材を先端側方向に抜け出させ、傘を開いた状態においては、傘生地が広げられることによりバンド部材の先端側に移動し、バンド部材の先端側を係止する。
【００１２】
この折りたたみ式傘においては、傘を開くことにより、なんらの操作を行うことなく、バンド部材の先端側が係止手段より係止される。
【発明の効果】
【００１３】
本発明に係る折りたたみ式傘においては、傘を開いた状態において、バンド部材の先端側が係止手段により係止されるので、バンド部材が下方に垂れ下がることがない。
【００１４】
また、係止手段を、傘を開いた状態における傘生地の下面に取付けられたリング状の部材とし、バンド部材を挿通させているものとすれば、傘を開くことにより、なんらの操作を行うことなく、バンド部材の先端側が係止手段より係止される。
【００１５】
すなわち、本発明は、折りたたんだ状態で傘生地を束ねるバンド部材を有する折りたたみ式傘において、傘を開いて使用しているときに、バンド部材が下方側に垂れ下がることが防止された折りたたみ式傘を提供することができるものである。
【発明を実施するための最良の形態】
【００１６】
以下、本発明に係る折りたたみ式傘の最良の実施の形態について図面を参照して説明する。
【００１７】
本発明に係る折りたたみ式傘は、図１に示すように、傘としての基本骨格は一般に市販されている折りたたみ式傘と特に変わらない。すなわち、この折りたたみ式傘は、図１に示すように、下端側が把手１となっている軸部２を有し、この軸部２の上端側において回動可能に支持された複数の骨部３を有し、この骨部３に傘生地４が接合されて構成されている。
【００１８】
各骨部３は、軸部２に対して回動可能であるのみならず、中途部に回動軸を有しこの回動軸において２つ折りにされるようになっている。この折りたたみ式傘は、図２に示すように、各骨部３を軸部２に対して回動させて軸部２に沿うようにするとともに、各骨部３を中途部において２つ折りにすることにより、図３に示すように、折りたたむことができる。
【００１９】
また、この折りたたみ式傘は、図１に示すように、傘を開いた状態における傘生地４の下面（裏面）に、バンド部材５の基端側が縫合されて接合されている。このバンド部材５は、図３に示すように、この折りたたみ式傘を折りたたんだ状態で、傘生地４を束ねるものである。このバンド部材５は、先端側にリング５ａが取付けられている。このバンド部材５は、この折りたたみ式傘を折りたたんだ状態において、たたまれた傘生地４の回りを回して、先端側のリング５ａをこのバンド部材５の基端側に取付けられたボタン６に係止させることにより、傘生地４を束ねる。
【００２０】
そして、この折りたたみ式傘は、図１及び図４に示すように、傘を開いた状態における傘生地４の下面には、バンド部材５の先端側を係止する係止手段７が設けられている。この係止手段７は、バンド部材５の先端側に設けられたリング５ａに通されてバンド部材５を係止するボタンとすることができる。また、この係止手段７は、いわゆる「マジックテープ（登録商標）」や「ホック」とすることもできる。この場合には、バンド部材５の先端側にも、これら「マジックテープ（登録商標）」や「ホック」に対応して係止されるための「マジックテープ（登録商標）」や「ホック」を設けておく。
【００２１】
なお、この係止手段７は、図４に示すように、傘生地４の下面において、いずれかの骨部３の近傍に設けることが望ましい。係止手段７を骨部３の近傍に設ければ、この係止手段７を傘生地４に取付けるための縫い目などが、傘生地４の表面側に表れて目立ってしまうことがない。
【００２２】
この折りたたみ式傘において、傘を閉じ、さらに折りたたむときには、バンド部材５の先端側を係止手段７から外すことにより、前述したように、このバンド部材５は、たたまれた傘生地４を束ねることができる。
【００２３】
さらに、この折りたたみ式傘における係止手段７は、図５に示すように、傘を開いた状態における傘生地４の下面（裏面）に取付けられたリング状の部材とし、このリング状部材にバンド部材５を挿通させたものとしてもよい。
【００２４】
この場合には、傘を開いた状態においては、係止手段７がバンド部材５の先端側に位置しており、このバンド部材５の先端側が係止手段７により係止される。そして、この折りたたみ式傘を折りたたんだ状態においては、図６に示すように、傘生地４が折りたたまれることにより係止手段７がバンド部材５の基端側に接近し、このバンド部材５は、先端側を係止手段７より先端側に抜け出す状態となり、前述したように、傘生地４を束ねることができる。
【００２５】
そして、再び傘を開いたときには、傘生地４が広げられることにより係止手段７がバンド部材５の先端側に移動し、図５に示すように、このバンド部材５は、先端側を係止手段７より係止される状態となる。すなわち、この折りたたみ式傘においては、傘を開くことにより、なんらの操作を行うことなく、バンド部材５の先端側が係止手段７より係止される。
【００２６】
なお、この場合には、バンド部材５の先端部及び係止手段７は、それぞれ傘生地４の下面において、骨部３と骨部３との間の位置に取付けられる。
【図面の簡単な説明】
【００２７】
【図１】本発明に係る折りたたみ式傘の開いた状態を示す斜視図である。
【図２】前記折りたたみ式傘を閉じた状態を示す斜視図である。
【図３】前記折りたたみ式傘を折りたたんだ状態を示す斜視図である。
【図４】前記折りたたみ式傘における係止手段の例（傘を開いた状態）を示す断面図である。
【図５】前記折りたたみ式傘における係止手段の他の例（傘を開いた状態）を示す断面図である。
【図６】前記折りたたみ式傘における係止手段の他の例（傘を折りたたんだ状態）を示す断面図である。
【符号の説明】
【００２８】
１    把手
２    軸部
３    骨部
４    傘生地
５    バンド部材
５ａ  リング
６    ボタン
７    係止手段
【図１】
2007117436.tif 000003
【図２】
2007117436.tif 000004
【図３】
2007117436.tif 000005
【図４】
2007117436.tif 000006
【図５】
2007117436.tif 000007
【図６】
2007117436.tif 000008